【手続補正書】
【提出日】平成18年5月23日(2006.5.23)
【手続補正１】
【補正対象書類名】特許請求の範囲
【補正対象項目名】全文
【補正方法】変更
【補正の内容】
【特許請求の範囲】
【請求項１】
少なくとも第一のディスクドライブを有するホストコンピュータと通信チャネルにより接続可能な装置であって、
第二のディスクドライブと、
前記第二のディスクドライブに関連付けられたユーザ起動可能なボタンと、
前記ユーザ起動可能なボタンの押下に応答して、前記ユーザ起動可能なボタンの前記押下の通知を前記ホストコンピュータへ前記通信チャネルを介して送信するステップを含むプロセスにより、前記第一のディスクドライブから前記第二のディスクドライブへ少なくとも一部のデータのバックアップを生起させる回路と、
を有する装置。
【請求項２】
請求項１に記載の装置において、
前記第二のディスクドライブは、外部ディスクドライブである装置。
【請求項３】
請求項１に記載の装置において、
前記第二のディスクドライブは、筐体を有し、
前記ユーザ起動可能なボタンは、前記筐体に搭載されていることによりデータ記憶装置に関連付けられている装置。
【請求項４】
請求項１に記載の装置において、
前記第二のディスクドライブは、筐体を有し、
前記筐体は、前記ホストコンピュータに非固定的に取付けられている装置。
【請求項５】
請求項１に記載の装置において、
前記通信チャネルは、ユニバーサルシリアルバス（ＵＳＢ）通信チャネル、ＩＥＥＥ１３９４の通信チャネル、無線通信チャネル、およびイーサネット（登録商標）通信チャネルからなるグループから選択された通信チャネルを含む装置。
【請求項６】
請求項１に記載の装置において、
前記バックアップの実行を示すインジケータを更に含む装置。
【請求項７】
請求項１に記載の装置において、
通常使用時には、前記ユーザ起動可能なボタンの前記動作以外にユーザ入力を必要とすることなく、前記ユーザ起動可能なボタンの動作が実質的にそれ自体で前記バックアップを開始させる装置。
【請求項８】
請求項７に記載の装置において、
前記ユーザ起動可能ボタンの前記操作は、前記ユーザ起動可能ボタンの１回の押下に限定された操作である装置。
【請求項９】
請求項１に記載の装置において、
前記回路は、前記第二のディスクドライブと接続可能である装置。
【請求項１０】
請求項１に記載の装置において、
前記回路は、コンピュータ内に収納されていない装置。
【請求項１１】
通信チャネルを介して第一のディスクドライブと通信しているホストコンピュータと通信する装置であって、
第二のディスクドライブと、
前記第二のディスクドライブに関連付けられたユーザ起動可能なボタンと、
前記ユーザ起動可能なボタンの押下に応答して、前記第一のディスクドライブから前記第二のディスクドライブへ少なくとも一部のデータのバックアップを生起させる回路と、
を有し、バックアップの通常動作を行なう前に、前記ホストコンピュータに対して前記バックアップの間に利用すべく前記パックアップに関する設定情報が提供される装置。
【請求項１２】
ホスト装置に接続可能なデータ記憶装置であって、
データ記憶手段と、前記ホスト装置から送られたデータを前記データ記憶手段へ書き込むと共に、前記ホスト装置へ送信するためにデータを読出すべく前記データ記憶手段を制御する回路とを含む筐体であって、前記ホスト装置の外部にあり、前記ホスト装置に固定的に取付けられていない状態で提供される前記筐体と、
前記データ記憶手段から前記ホスト装置への、および前記ホスト装置から前記データ記憶手段へのデータの送信を受容する通信チャネルと、
前記データ記憶手段に関連付けられた第一のユーザ入力手段と、
前記データ記憶手段に接続された回路と、
を有し、
前記回路は、前記ユーザ入力手段へ提供される第一の入力に応答して、前記ホスト装置にある機能を実行する装置。
【請求項１３】
請求項１２に記載の装置において、
前記回路により実行される前記機能は、少なくとも部分的に前記ホスト装置上で実行されるユーザ選択可能な機能を含む装置。
【請求項１４】
請求項１２に記載の装置において、
前記回路により実行される前記機能は、前記ホスト装置から前記データ記憶装置へ送信されたデータの実質的自動保存機能を含む装置。
【請求項１５】
請求項１４に記載の装置において、
前記ホスト装置は、コンピュータである装置。
【請求項１６】
請求項１５に記載の装置において、
前記データの実質的自動保存機能は、前記コンピュータに保存されるデータ全体の少なくとも一部のバックアップの実行を含む装置。
【請求項１７】
請求項１５に記載の装置において、
前記データの実質的自動保存機能は、前記コンピュータに保存されているデータの所定部分のバックアップの実行を含む装置。
【請求項１８】
請求項１５に記載の装置において、
前記データの実質的自動保存機能は、前記コンピュータに保存されているデータのユーザ選択可能な部分または種類のバックアップの実行を含む装置。
【請求項１９】
ホスト装置と接続可能なデータ記憶装置と組み合わせて用いる方法であって、
前記データ記憶装置を含む筐体であって前記ホスト装置の外部にあり、前記ホスト装置に固定的に取付けられていない状態で提供される前記筐体を提供するステップと、
前記ホスト装置から送られたデータを前記データ記憶装置へ書き込むと共に、通信チャネルを介して前記ホスト装置へ送信するためにデータを読出すべく前記データ記憶装置を電子的に制御するステップと、
前記データ記憶装置に関連付けられたユーザ入力装置を介して入力を提供する入力提供ステップと、
前記ユーザ入力装置に提供された少なくとも第一の入力に応答して、前記ホスト装置にある機能を実行する実行ステップと、
を含む方法。
【請求項２０】
請求項１９に記載の方法において、
前記実行ステップは、ユーザ選択可能な機能を少なくとも部分的には前記ホスト装置上で実行するステップを含む方法。
【請求項２１】
請求項１９に記載の方法において、
前記実行ステップは、少なくとも部分的には前記ホスト装置上のソフトウェアを実行することにより、前記ホスト装置から前記データ記憶装置へ送信されたデータの実質的自動保存を行なうステップを含む方法。
【請求項２２】
請求項２１に記載の方法において、
前記データの実質的自動保存機能は、前記ホスト装置に保存されたデータ全体の少なくとも一部のバックアップを実行するステップを含む方法。
【請求項２３】
請求項２１に記載の方法において、
前記データの実質的自動保存機能は、前記ホスト装置に保存されたデータの所定部分のバックアップを実行するステップを含む方法。
【請求項２４】
請求項２１に記載の方法において、
前記データの実質的自動保存機能は、前記ホスト装置に保存されたデータのユーザ選択可能な部分または種類のバックアップを実行するステップを含む方法。
【請求項２５】
請求項１９に記載の方法において、
前記ユーザ入力装置は、押下可能なボタンを含み、
前記入力提供ステップは、前記押下可能なボタンを押下するステップを含む方法。
【請求項２６】
ホスト装置と接続可能なデータ記憶装置と組み合わせて用いる装置であって、
前記データ記憶装置を内蔵し、前記ホスト装置の外部にあって前記ホスト装置に非固定的に取付けられる筐体手段と、
前記ホスト装置から送られたデータを前記データ記憶装置へ書き込むと共に、通信手段を介して前記ホスト装置へ送信するためにデータを読出すべく前記データ記憶装置を電子的に制御する手段と、
前記データ記憶装置に関連付けられたユーザ入力手段と、
前記ユーザ入力手段に提供された第一の入力に応答して、ユーザが選択可能な機能であって、少なくとも部分的に前記ホスト装置で実行されるユーザ選択可能機能と、前記ホスト装置から前記データ記憶装置へ送られたデータを実質的に自動保存する実質的自動保存機能のうち少なくとも一つを実行する手段と、
を有する装置。
【請求項２７】
請求項２６に記載の装置において、
前記通信手段は、ユニバーサルシリアルバス（ＵＳＢ）通信チャネル、ＩＥＥＥ１３９４通信チャネル、無線通信チャネル、およびイーサネット（登録商標）通信チャネルからなるグループから選択された通信チャネルを含む装置。
【請求項２８】
請求項２６に記載の装置において、
前記ユーザ入力手段は、押下可能なボタンを有する装置。
【請求項２９】
請求項２６に記載の装置において、
前記ユーザ選択可能機能の１個および前記実質的自動保存機能の実行中との表示を行なう手段を有する装置。
【請求項３０】
ホストコンピュータと接続可能なデータバックアップ用の装置であって、
ディスクドライブと、
前記ディスクドライブを含む筐体であって、前記筐体およびディスクドライブが前記ホストコンピュータの外部にあり、前記ホストコンピュータに非固定的に取付けられている前記筐体と、
前記ホストコンピュータから送られたデータを前記ディスクドライブへ書き込むと共に、通信チャネルを介して前記ホストコンピュータへ送信するためにデータを読出すべく前記ディスクドライブを制御する回路と、
前記筐体に搭載されたプッシュボタンと、
前記プッシュボタンの励起に応答して、前記コンピュータに保存されたデータを少なくとも選択されたもののバックアップを実行すべく設定されているバックアップ実行回路と、
を有し、前記バックアップは、前記ホストコンピュータから前記ディスクドライブへのコマンド送信を含む装置。
【請求項３１】
請求項３０に記載の装置において、
前記バックアップの開始、進行、あるいは完了を示すインジケータを更に有する装置。
【請求項３２】
請求項３０に記載の装置において、
前記バックアップ実行回路は、前記バックアップが前記ディスクドライブとは異なるソースドライブへのコマンドを送信するステップを含む回路を有する装置。
【請求項３３】
ホストコンピュータと接続された状態でのデータバックアップのための方法であって、
ディスクドライブを筐体に設置するステップであって、前記筐体およびディスクドライブが前記ホストコンピュータの外部にあり、前記筐体は前記ホストコンピュータに非固定的に取付けられた状態で提供されるステップと、
前記ホストコンピュータから送られたデータを前記ディスクドライブへ書き込むと共に、通信チャネルを介して前記ホストコンピュータへ送信するためにデータを読出すべく前記ディスクドライブを制御するステップと、
少なくとも間接的に前記ディスクドライブに接続可能なプッシュボタンを前記筐体に固定的に取り付けるステップと、
前記プッシュボタンの起動に応答して、前記ホストコンピュータに保存されたデータのうち少なくとも選択されたものを前記ディスクドライブ上へバックアップを実行するステップと、
を含む方法。
【請求項３４】
請求項３３に記載の方法において、
バックアップ用に前記ディスクドライブを通常使用する前に、前記バックアップに関する設定情報を提供するステップを更に含む方法。
【請求項３５】
請求項３４に記載の方法において、
前記設定情報は、ドライブ、ディレクトリ、サブディレクトリ、ファイルまたはバックアップ用に指定されたファイルタイプの識別を含む方法。
【請求項３６】
請求項３４に記載の方法において、
前記設定情報は、バックアップ先の指定を含む方法。
【請求項３７】
ホストコンピュータと接続可能であり、データバックアップ用の装置であって、
ディスクドライブと、
前記ディスクドライブを搭載する筐体と、
前記ホストコンピュータから送られたデータを前記ディスクドライブへ書き込むべく制御する回路と、
前記筐体と接続可能なプッシュボタンと、
前記プッシュボタンの状態情報を表示する情報を受信して、前記プッシュボタンの状態情報を表示する情報を前記ホストコンピュータに渡すべく設定された受信回路と、
を有し、
前記ホストコンピュータは、前記ホストコンピュータ内の第一の情報を前記ディスクドライブに保存するように設定されたソフトウェアを実行することにより、前記プッシュボタンの前記状態情報の前記表示情報に応答すべく設定されている装置。
【請求項３８】
請求項３７に記載の装置において、
前記筐体は、前記ホスト装置に非固定的に取付けられている装置。
【請求項３９】
請求項３７に記載の装置において、
前記ディスクドライブは、前記ディスクドライブのアクチュエータアームの制御を有する前記ドライブ制御回路に接続され、
前記第一の回路は、前記ドライブ制御回路に提供されている装置。
【請求項４０】
請求項３７に記載の装置において、
前記ホストコンピュータは、前記プッシュボタンの前記状態を判定すべく周期的にポーリングを行なうことにより、前記プッシュボタンの前記状態を表示する前記情報に応答すべく設定されている装置。
【請求項４１】
請求項３７に記載の装置において、
前記ホストコンピュータは、前記第一の回路から非同期メッセージを受信することにより、前記プッシュボタンの前記状態を表示する前記情報に応答すべく設定されている装置。
【請求項４２】
請求項３７に記載の装置において、
前記状態情報を示す情報は、ボタン状態を含む装置。
【請求項４３】
請求項３７に記載の装置において、
前記状態情報を示す情報は、ボタン状態の変化を含む装置。
【請求項４４】
ホストコンピュータと通信可能なデータバックアップ用の装置であって、
ディスクドライブと、
前記ディスクドライブを搭載した筐体と、
前記筐体に接続可能なプッシュボタンと、
前記プッシュボタンの状態を表示する情報を受信する第一の回路と、
を有し、
前記ホストコンピュータは、少なくとも第一の情報を前記ディスクドライブに保存すべく設定されたソフトウェアを実行することにより、前記プッシュボタンの前記状態を表示する前記情報に応答すべく設定されていて、
前記ディスクドライブは、シリアル対パラレルデータ変換を行なうブリッジ回路に接続され、
前記第一の回路は、前記ブリッジ回路に提供されている装置。
【請求項４５】
請求項４４に記載の装置において、
前記ブリッジ回路は、マイクロプロセッサを有する装置。
【請求項４６】
請求項４４に記載の装置において、
前記ブリッジ回路は、ファームウェアを有する装置。
【請求項４７】
通信チャネルによりホストコンピュータと接続可能なデータバックアップ用の装置であって、
ディスクドライブと、
プッシュボタンと、
前記プッシュボタンの状態を表示する情報を受信して、前記通信チャネルを介して、前記プッシュボタンの前記状態を表示する前記情報を、前記ホストコンピュータに渡すべく設定された回路と、
を有し、
前記ホストコンピュータは、前記ホストコンピュータ上のソフトウェアを実行することにより、前記プッシュボタンの前記状態を表示する前記情報に応答すべく設定され、
前記ソフトウェアは、前記ホストコンピュータ内の情報を前記ディスクドライブに保存すべく設定されている装置。
【請求項４８】
請求項３７または４７に記載の装置において、
前記ソフトウェアは、バックアップアプリケーション名とバックアップスクリプト名のうち少なくとも一つを決定すべくバインダデータベースに問い合わせるソフトウェアを含む装置。
【請求項４９】
請求項４８に記載の装置において、
前記ソフトウェアは、パラメータとして前記スクリプト名を用いて前記バックアップアプリケーションを実行するソフトウェアを含む装置。
【請求項５０】
通信チャネルによりホストコンピュータと接続可能であり、前記ホストコンピュータは、第一のディスクドライブを有し、前記第一のディスクドライブは、前記ホストコンピュータに内蔵されている装置であって、
第二のディスクドライブと、
前記第二のディスクドライブに関連付けられたユーザ起動可能なボタンと、
前記ユーザ起動可能なボタンの押下に応答して、前記ホストコンピュータに内蔵された、前記第一のディスクドライブから前記第二のディスクドライブへ少なくとも一部のデータのバックアップを生起させる回路と、
を有する装置。
【請求項５１】
データのバックアップ用装置であって、前記データは第一の通信チャネルを介してホストコンピュータへアクセス可能であり、前記第一の通信チャネルは前記ホストコンピュータの第一のバスを有し、
前記装置は、
前記第一の通信チャネルとは異なり、ユニバーサルシリアルバス（ＵＳＢ）通信チャネル、ＩＥＥＥ１３９４の通信チャネル、無線通信チャネル、およびイーサネット（登録商標）通信チャネルからなるグループから選択された第二の通信チャネルを介して前記ホストコンピュータと通信状態にあるディスクドライブと、
プッシュボタンと、
前記プッシュボタンの状態を示す情報を受信すべく設定された回路と、
を有し、
前記ホストコンピュータは、前記データの少なくとも一部を前記ディスクドライブに保存すべく設定されたソフトウェアを実行することにより、前記プッシュボタンの前記状態を示す前記情報に応答すべく設定されている装置。
【請求項５２】
通信チャネルを介してホスト装置と通信状態にあるデータ記憶装置と組み合わせて用いる方法であって、前記データ記憶装置は、前記ホスト装置の外部にあり、
ユーザ入力装置を介して入力を提供するステップであって、前記ユーザ入力装置は前記データ記憶装置に関連付けられていて、前記入力の通知が前記ホスト装置へ提供される前に、前記ユーザ入力装置から入力を受信することにより、前記ユーザ入力装置が前記データ記憶装置に関連付けられた状態におけるステップと、
前記ユーザ入力装置に提供された第一の入力に応答して、少なくとも部分的に前記ホスト装置で実行されるユーザ選択可能機能と、前記ホスト装置から前記データ記憶装置へ送られたデータを実質的に自動保存する機能のうち少なくとも一つを実行するステップと、
を含む方法。
【請求項５３】
通信チャネルを介してホスト装置と通信状態にあるデータ記憶装置と組み合わせて用いる方法であって、前記データ記憶装置は前記ホスト装置の外部にあり、
ユーザ入力装置を介して入力を提供するステップであって、前記ユーザ入力装置は前記データ記憶装置に関連付けられていて、前記入力を前記ホスト装置へ最初に提供する必要なしに、前記ユーザ入力装置から入力を受信することにより、前記ユーザ入力装置が前記データ記憶装置に関連付けられた状態におけるステップと、
前記ユーザ入力装置に提供された少なくとも第一の入力に応答して、少なくとも部分的に前記ホスト装置で実行されるユーザ選択可能機能と、前記ホスト装置から前記データ記憶装置へ送られたデータを実質的に自動保存する機能のうち少なくとも一つを実行するステップと、
を含む方法。
【請求項５４】
ホストコンピュータと通信状態にあるデータバックアップ用の装置であって、
ディスクドライブと、
プッシュボタンと、
を有し、
前記ホストコンピュータは、前記ホストコンピュータ上でソフトウェアを実行することにより、前記プッシュボタンの押下に応答すべく設定され、
前記ソフトウェアは、前記ホストコンピュータ内の少なくとも第一の情報を前記ディスクドライブへバックアップすべく設定され、
通常使用時には、前記プッシュボタンの前記押下以外にユーザ入力を必要とすることなく、前記プッシュボタンの押下が実質的にそれ自体で前記バックアップを開始させる装置。